(57)【要約】【課題】マルチ通信方式端末において、複数の通信方式を利用できるエリア内で、その１つのみを利用している場合に、他の通信方式による呼出しに応答可能な無線通信システムを提供する。【解決手段】切替可能な複数の通信方式の特定通信方式で待受状態のマルチ端末１０９と、無線基地局サブシステム２００とから構成される無線通信システム１００であって、無線基地局サブシステム２００は、前記複数の通信方式の何れかによる外部端末１０１からのマルチ端末１０９の呼出要求を、当該通信方式を特定する特定情報とともに受信し、前記複数の通信方式を記憶している共通データベース１０２６から前記特定通信方式を選択し、当該通信方式により、マルチ端末１０９に前記特定情報を送信し、マルチ端末１０９は、受信した前記特定情報に基づいて、前記特定通信方式を、当該特定情報によって特定される通信方式に切替える。【選択図】  図１
2004282267.tif 000002
【特許請求の範囲】
【請求項１】
切替可能な複数の通信方式により、無線基地局サブシステムと通信可能であり、前記複数の通信方式のうちの特定の１つである特定通信方式により、前記無線基地局サブシステムからの呼出の待受け状態にある無線端末と、前記無線基地局サブシステムとから構成される無線通信システムであって、
前記無線基地局サブシステムは、
前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信手段と、
前記複数の通信方式の中から前記特定通信方式を選択する通信方式選択手段と選択した前記特定通信方式により、前記無線端末に接続し、前記通信方式特定情報を前記無線端末に送信する送信手段と
を有し、
前記無線端末は、
前記通信方式特定情報を、前記特定通信方式により受信する受信手段と、
受信した前記通信方式特定情報に基づいて、前記無線基地局群との通信方式を、前記特定通信方式から当該特定情報によって特定される通信方式に切替える切替制御手段と
を有することを特徴とする無線通信システム。
【請求項２】
前記通信方式選択手段は、前記複数の通信方式の中から、予め定められた順番で通信方式を選択する選択処理を行い、
前記送信手段は、前記無線端末に接続できたか否かを判定する接続判定手段を有し、
前記送信手段は、前記通信方式が選択される毎に、当該通信方式に従って、
前記無線端末との接続を試み、
前記通信方式選択手段は、前記無線端末への接続ができた場合に、前記通信方式特定情報を送信し、
接続ができなかった場合に、前記通信方式選択手段は、選択した前記通信方式を除く前記複数の通信方式について、前記選択処理を繰返す
ことを特徴とする請求項１記載の無線通信システム。
【請求項３】
前記通信方式選択手段は、前記無線端末における前記複数の通信方式の優先順位を記憶している選択方式記憶手段を有し、
前記選択方式選択手段は、前記優先順位の高い順に通信方式を選択する選択処理を行い、
前記送信手段は、前記無線端末に接続できたか否かを判定する接続判定手段を有し、
前記送信手段は、前記通信方式が選択される毎に、当該通信方式により、前記無線端末との接続を試み、
前記通信方式選択手段は、前記無線端末との接続ができた場合に、前記通信方式特定情報を送信し、
接続ができなかった場合に、前記通信方式選択手段は、選択した前記通信方式を除く前記複数の通信方式について、前記選択処理を繰返す
ことを特徴とする請求項１記載の無線通信システム。
【請求項４】
前記無線基地局サブシステムはさらに、
前記無線端末から前記複数の通信方式の優先順位の通知を受け取る受取手段と、
前記選択通信方式記憶手段に記憶されている前記複数の通信方式の優先順位を、受け取った優先順位に更新する更新手段と
を有することを特徴とする請求項３記載の無線通信システム。
【請求項５】
前記受信手段は、前記無線基地局サブシステムからの送信を、前記複数の通信方式に従って受信する、各通信方式に対応する受信部を有し、
前記各受信部は、電源によってオン、オフが切替えられ、
前記切替制御手段は、前記各受信部の何れか１つの受信部の電源がオンとなるように各受信部の電源のオン、オフを制御し、
前記受信手段は、前記切替制御手段によって電源オンに制御された、前記特定通信方式に対応する受信部を介して、前記通信方式特定情報を受信し、
前記切替制御手段は、前記特定通信方式に対応する受信部の電源をオフに、受信した通信方式特定情報によって特定される通信方式に対応する受信部の電源をオンに制御することにより、前記無線基地局群との通信方式を、前記特定通信方式から当該通信方式特定情報によって特定される通信方式に切替える
ことを特徴とする請求項１記載の無線通信システム。
【請求項６】
複数の通信方式による無線端末の呼出しが可能な無線基地局サブシステムであって、
通信端末から、前記複数の通信方式のうちの何れか１つの通信方式による、切替可能な前記複数の通信方式のうちの特定の１つである特定通信方式により前記無線基地局サブシステムからの呼出の待受け状態にある無線端末の呼出要求を、当該通信方式を特定する通信方式特定情報とともに受信する呼出要求受信手段と、
前記複数の通信方式の中から前記特定通信方式を選択する通信方式選択手段と、
選択した通信方式により、前記無線端末に接続し、前記通信方式特定情報を送信する送信手段と
を備えることを特徴とする無線基地局サブシステム。
【請求項７】
前記通信方式選択手段は、前記複数の通信方式の中から、予め定められた順番で通信方式を選択する選択処理を行い、
前記送信手段は、前記無線端末に接続できたか否かを判定する接続判定手段を有し、
前記送信手段は、前記通信方式が選択される毎に、当該通信方式に従って、
前記無線端末との接続を試み、
前記通信方式選択手段は、前記無線端末への接続ができた場合に、前記通信方式特定情報を送信し、
接続ができなかった場合に、前記通信方式選択手段は、選択した前記通信方式を除く前記各通信方式について、前記選択処理を繰返す
ことを特徴とする請求項６記載の無線基地局サブシステム。
【請求項８】
前記選択通信方式選択手段は、前記無線端末における前記複数の通信方式の優先順位を記憶している通信方式記憶手段を有し、
前記通信方式選択手段は、前記優先順位の高い順に通信方式を選択する選択処理を行い、
前記送信手段は、前記無線端末に接続できたか否かを判定する接続判定手段を有し、
前記送信手段は、前記通信方式が選択される毎に、当該通信方式により、前記無線端末との接続を試み、
前記通信方式選択手段は、前記無線端末との接続ができた場合に、前記通信方式特定情報を送信し、
接続ができなかった場合に、前記通信方式選択手段は、選択した前記通信方式を除く前記複数の通信方式について、前記選択処理を繰返す
ことを特徴とする請求項６記載の無線基地局サブシステム。
【請求項９】
前記無線基地局サブシステムはさらに、
前記無線端末から前記複数の通信方式の優先順位の通知を受け取る受取手段と、
前記選択通信方式記憶手段に記憶されている前記複数の通信方式の優先順位を、受け取った優先順位に更新する更新手段と
を備えることを特徴とする請求項８記載の無線基地局サブシステム。
【請求項１０】
切替可能な複数の通信方式により、無線基地局サブシステムと通信可能であり、前記複数の通信方式のうちの特定の１つである特定通信方式により、前記無線基地局サブシステムからの呼出の待受け状態にある無線端末であって、
当該無線基地局サブシステムから、前記複数の通信方式のうちの何れか１つの通信方式による、外部端末からの呼出要求に基づく呼出しがあった時に、当該無線基地局サブシステムから、当該呼出要求がされた通信方式を特定する通信方式特定情報を受信する受信手段と、
受信した前記通信方式特定情報に基づいて、前記無線基地局群との通信方式を、前記特定通信方式から当該特定情報によって特定される通信方式に切替える切替制御手段と
を備えることを特徴とする無線端末。
【請求項１１】
前記受信手段は、前記無線基地局サブシステムからの送信を、前記複数の通信方式に従って受信する、各通信方式に対応する受信部を有し、
前記各受信部は、電源によってオン、オフが切替えられ、
前記切替制御手段は、前記各受信部の何れか１つの受信部の電源がオンとなるように各受信部の電源のオン、オフを制御し、
前記受信手段は、前記切替制御手段によって電源オンに制御された、前記特定通信方式に対応する受信部を介して、前記通信方式特定情報を受信し、
前記切替制御手段は、前記特定通信方式に対応する受信部の電源をオフに、受信した通信方式特定情報によって特定される通信方式に対応する受信部の電源をオンに制御することにより、前記無線基地局群との通信方式を、前記特定通信方式から当該通信方式特定情報によって特定される通信方式に切替える
ことを特徴とする請求項１０記載の無線端末。
【請求項１２】
切替可能な複数の通信方式により、無線基地局サブシステムと通信可能であり、前記複数の通信方式のうちの特定の１つである特定通信方式により、前記無線基地局サブシステムからの呼出の待受け状態にある無線端末と、前記無線基地局サブシステムとから構成される無線通信システムに用いられる接続制御ステップと通信方式切替ステップとから構成される無線通信方法であって、
前記接続制御ステップは、
前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信ステップと、
前記複数の通信方式の中から前記特定通信方式を選択する通信方式選択ステップと
選択した前記特定通信方式により、前記無線端末に接続し、前記通信方式特定情報を前記無線端末に送信する送信ステップと
を含み、
前記通信方式切替ステップは、
前記通信方式特定情報を、前記特定通信方式により受信する受信ステップと、受信した前記通信方式特定情報に基づいて、前記無線基地局群との通信方式を、前記特定通信方式から当該特定情報によって特定される通信方式に切替える切替制御ステップと
を含むことを特徴とする無線通信方法。
【請求項１３】
切替可能な複数の通信方式で無線基地局群と通信可能であり、前記各通信方式のうちの１つである特定通信方式で前記無線基地局群から呼出され得る状態にある無線端末と、前記無線基地局群とから構成される無線通信システムに用いられる接続制御プログラムと通信方式切替プログラムとから構成される無線通信プログラムであって、
前記接続制御プログラムは、
前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信ステップと、
前記複数の通信方式の中から前記特定通信方式を選択する通信方式選択ステップと
選択した前記特定通信方式により、前記無線端末に接続し、前記通信方式特定情報を前記無線端末に送信する送信ステップと
を含み、
前記通信方式切替プログラムは、
前記通信方式特定情報を、前記特定通信方式により受信する受信ステップと、受信した前記通信方式特定情報に基づいて、前記無線基地局群との通信方式を、前記特定通信方式から当該特定情報によって特定される通信方式に切替える切替制御ステップと
を含むことを特徴とする無線通信プログラム。
【発明の詳細な説明】
【０００１】
【発明の属する技術分野】
本発明は、複数の通信方式で基地局と通信可能な無線端末と基地局間の通信接続を制御する通信制御技術に関する。
【０００２】
【従来の技術】
現在、移動体通信分野における携帯電話機などの無線端末と、基地局との間の通信方式おいては、いわゆる第１〜第３世代の通信方式が混在している。
第１世代の通信方式は、ＦＤＭＡ（Ｆｒｅｑｕｅｎｃｙ  Ｄｉｖｉｓｉｏｎ  Ｍｕｌｔｉｐｌｅ  Ａｃｃｅｓｓ）方式であり、この方式は、いわゆる「アナログ携帯電話」において使用されており、現在においてもまだアメリカなどの国において利用されている。
【０００３】
第２世代の通信方式は、ＴＤＭＡ（Ｔｉｍｅ  Ｄｉｖｉｓｉｏｎ  Ｍｕｌｔｉｐｌｅ  Ａｃｃｅｓｓ）方式であり、日本では、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）において、この方式が利用され、ヨーロッパ各国では、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）において、この方式が利用されている。
【０００４】
第３世代の通信方式は、近年、日本と韓国でサービスが開始されたＣＤＭＡ（Ｃｏｄｅ  Ｄｉｖｉｓｉｏｎ  Ｍｕｌｔｉｐｌｅ  Ａｃｃｅｓｓ）方式である。
このように、多様な通信方式にフレキシブルに対応し、より広範囲の地域間での無線端末間の通信を実現するため、近年、複数の通信方式で基地局と通信可能な無線端末（以下、「マルチ通信方式端末」という。）が開発されている。
【０００５】
これらマルチ通信方式端末においては、後述する特許文献１に開示されているように、複数の通信方式のサービスを受けることが可能なエリア内では、通話料金の安い通信方式のみが利用され、当該通信方式によるサービスが受けられないエリアに移動した場合に、サービスエリアの広い他の通信方式に切替えられるように制御することができる。
【０００６】
これにより、ユーザーは、エリアに応じた最適の通信方式を自動選択することができる。
【０００７】
【特許文献１】特開平１１−２９８９６４
【０００８】
【発明が解決しようとする課題】
しかしながら、上記特許文献１において開示されている従来技術では、複数の通信方式のサービスを受けることが可能なエリア内では、１つの通信方式のみが利用されるため、利用していない他の通信方式による呼出しがあった場合には、当該呼出しに応答することができないという問題が生じる。
【０００９】
そこで、本発明は、マルチ通信方式端末において、複数の通信方式のサービスを受けることが可能なエリア内において、１つの通信方式のみを利用している場合においても、利用していない他の通信方式による呼出しに応答可能な無線通信システムを提供することを目的とする。
【００１０】
【課題を解決するための手段】
上記課題を解決するために、本発明は、切替可能な複数の通信方式により、無線基地局サブシステムと通信可能であり、前記複数の通信方式のうちの特定の１つである特定通信方式により、前記無線基地局サブシステムからの呼出の待受け状態にある無線端末と、前記無線基地局サブシステムとから構成される無線通信システムであって、前記無線基地局サブシステムは、前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信手段と、前記複数の通信方式の中から前記特定通信方式を選択する通信方式選択手段と選択した前記特定通信方式により、前記無線端末に接続し、前記通信方式特定情報を前記無線端末に送信する送信手段とを有し、前記無線端末は、前記通信方式特定情報を、前記特定通信方式により受信する受信手段と、受信した前記通信方式特定情報に基づいて、前記無線基地局群との通信方式を、前記特定通信方式から当該特定情報によって特定される通信方式に切替える切替制御手段とを有することを特徴とする。
【００１１】
前記通信方式選択手段は、前記複数の通信方式の中から、予め定められた順番で通信方式を選択する選択処理を行い、前記送信手段は、前記無線端末に接続できたか否かを判定する接続判定手段を有し、前記送信手段は、前記通信方式が選択される毎に、当該通信方式に従って、前記無線端末との接続を試み、
前記通信方式選択手段は、前記無線端末への接続ができた場合に、前記通信方式特定情報を送信し、接続ができなかった場合に、前記通信方式選択手段は、選択した前記通信方式を除く前記複数の通信方式について、前記選択処理を繰返すこととしてもよい。
【００１２】
又、本発明は、複数の通信方式による無線端末の呼出しが可能な無線基地局サブシステムであって、通信端末から、前記複数の通信方式のうちの何れか１つの通信方式による、切替可能な前記複数の通信方式のうちの特定の１つである特定通信方式により前記無線基地局サブシステムからの呼出の待受け状態にある無線端末の呼出要求を、当該通信方式を特定する通信方式特定情報とともに受信する呼出要求受信手段と、前記複数の通信方式の中から前記特定通信方式を選択する通信方式選択手段と、選択した通信方式により、前記無線端末に接続し、前記通信方式特定情報を送信する送信手段とを備えることとしてもよい。
【００１３】
前記通信方式選択手段は、前記複数の通信方式の中から、予め定められた順番で通信方式を選択する選択処理を行い、前記送信手段は、前記無線端末に接続できたか否かを判定する接続判定手段を有し、前記送信手段は、前記通信方式が選択される毎に、当該通信方式に従って、前記無線端末との接続を試み、前記通信方式選択手段は、前記無線端末への接続ができた場合に、前記通信方式特定情報を送信し、接続ができなかった場合に、前記通信方式選択手段は、選択した前記通信方式を除く前記各通信方式について、前記選択処理を繰返す
こととしてもよい。
【００１４】
又、本発明は、切替可能な複数の通信方式により、無線基地局サブシステムと通信可能であり、前記複数の通信方式のうちの特定の１つである特定通信方式により、前記無線基地局サブシステムからの呼出の待受け状態にある無線端末であって、当該無線基地局サブシステムから、前記複数の通信方式のうちの何れか１つの通信方式による、外部端末からの呼出要求に基づく呼出しがあった時に、当該無線基地局サブシステムから、当該呼出要求がされた通信方式を特定する通信方式特定情報を受信する受信手段と、受信した前記通信方式特定情報に基づいて、前記無線基地局群との通信方式を、前記特定通信方式から当該特定情報によって特定される通信方式に切替える切替制御手段とを備えることとしてもよい。
【００１５】
又、本発明は、切替可能な複数の通信方式により、無線基地局サブシステムと通信可能であり、前記複数の通信方式のうちの特定の１つである特定通信方式により、前記無線基地局サブシステムからの呼出の待受け状態にある無線端末と、前記無線基地局サブシステムとから構成される無線通信システムに用いられる接続制御ステップと通信方式切替ステップとから構成される無線通信方法であって、前記接続制御ステップは、前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信ステップと、前記複数の通信方式の中から前記特定通信方式を選択する通信方式選択ステップと選択した前記特定通信方式により、前記無線端末に接続し、前記通信方式特定情報を前記無線端末に送信する送信ステップとを含み、前記通信方式切替ステップは、前記通信方式特定情報を、前記特定通信方式により受信する受信ステップと、受信した前記通信方式特定情報に基づいて、前記無線基地局群との通信方式を、前記特定通信方式から当該特定情報によって特定される通信方式に切替える切替制御ステップとを含むこととしてもよい。
【００１６】
又、本発明は、切替可能な複数の通信方式で無線基地局群と通信可能であり、前記各通信方式のうちの１つである特定通信方式で前記無線基地局群から呼出され得る状態にある無線端末と、前記無線基地局群とから構成される無線通信システムに用いられる接続制御プログラムと通信方式切替プログラムとから構成される無線通信プログラムであって、前記接続制御プログラムは、前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信ステップと、前記複数の通信方式の中から前記特定通信方式を選択する通信方式選択ステップと選択した前記特定通信方式により、前記無線端末に接続し、前記通信方式特定情報を前記無線端末に送信する送信ステップとを含み、前記通信方式切替プログラムは、前記通信方式特定情報を、前記特定通信方式により受信する受信ステップと、受信した前記通信方式特定情報に基づいて、前記無線基地局群との通信方式を、前記特定通信方式から当該特定情報によって特定される通信方式に切替える切替制御ステップとを含むこととしてもよい。
【００１７】
これにより、ユーザーは、複数の通信方式を備える自己の無線端末において他の無線端末からの呼出しを待ち受ける場合に、複数の通信方式を同時に動作させておかなくても、他の無線端末から呼出しがあった時に、無線基地局群によって自動的にユーザーの動作させている通信方式を選択し、当該通信方式で呼出元の無線端末と接続するための通信方式を知らせてくれるので、ユーザーはいずれか１つの通信方式を、呼出しを待ち受けるために動作させておくだけで、動作していない他の通信方式による呼出しがあった場合にも容易に呼出元の無線端末と接続することができる。
【００１８】
【発明の実施の形態】
（実施の形態１）
＜構成＞
図１は、本発明の実施の形態における無線通信システム１００の構成を示す。無線通信システム１００は、無線基地局サブシステム２００とマルチ通信方式無線端末（以下、「マルチ端末」という。）１０９とから構成される。
【００１９】
無線基地局サブシステム２００は、基地局Ａ１０２、基地局Ｂ１０３、基地局Ｃ１０４、基地局制御装置Ａ１０５、基地局制御装置Ｂ１０６、基地局制御装置Ｃ１０７、移動体通信網１０８から構成される。
基地局Ａ１０２、基地局Ｂ１０３、基地局Ｃ１０４は、それぞれ、外部無線端末（以下、「外部端末」という。）１０１と通信方式Ａ（例えば、ＰＨＳ）、通信方式Ｂ（例えば、ＰＤＣ）、通信方式Ｃ（例えば、ＣＤＭＡ）で通信する基地局であり、各基地局間は、制御情報をやりとりするための有線の通信回線で接続されている。
【００２０】
各基地局は、利用契約されているユーザーの無線端末毎に、発呼先からの呼出を待受けるために使用する通信方式（以下、「待受け通信方式」という。）の優先順位が示されている通信方式優先度リストを記録している共通データベース１０２６を有している。
図４は、通信方式優先度リストの具体例を示す。図４（ａ）は、無線端末Ａにおける待受け通信方式の優先順位を示し、図４（ｂ）は、無線端末Ｂにおける待受け通信方式の優先順位を示す。
【００２１】
図２は、基地局Ａ１０２の基本構成を示す機能ブロック図である。基地局Ａ１０２、基地局Ｂ１０３、及び基地局Ｃ１０４の構成は、無線端末との通信方式の違いに基づくＲＦ（Ｒａｄｉｏ  Ｆｒｅｑｕｅｎｃｙ）部の細部の構成の相違を除けば、図２に示す基地局の主要部の基本構成は、共通しているので、基地局Ｂ１０３及び基地局Ｃ１０４の構成については、説明を省略する。
【００２２】
基地局Ａ１０２は、アンテナ１０２０、ＲＦ部１０２１、変復調部１０２２、信号変換部１０２３、インターフェース部１０２４、制御部１０２５、共通データベース１０２６、基地局間通信部１０２７から構成される。
ＲＦ部１０２１は、外部の無線端末（ここでは、説明の便宜上、図１に示す無線端末１０１）との間で、アンテナ１０２０を介して通信電波の送受信を行い、受信した通信電波の周波数を段階的に低減することにより、ベースバンド信号に変換して変復調部１０２２に出力し、又、変復調部１０２２より入力されたベースバンド信号を高周波の通信電波に変換してアンテナ１０２０を介して無線端末１０１に送信する。
【００２３】
変復調部１０２２は、ＲＦ部１０２１から入力されたベースバンド信号をデジタル通信信号に復調し、信号変換部１０２３に出力し、又、信号変換部１０２３から入力されたデジタル通信信号を変調したベースバンド信号をＲＦ部１０２１に出力する。
信号変換部１０２３は、変復調部１０２２より入力されたデジタル通信信号を有線伝送用の信号に変換して、インターフェース部１０２４に出力し、又、インターフェース部１０２４より入力されたデジタル通信信号を無線伝送用の信号に変換して、変復調部１０２２に出力する。
【００２４】
インターフェース部１０２４は、有線伝送路との間で、デジタル通信信号を送受信し、信号変換部１０２３より入力されたデジタル通信信号を有線伝送路に送信し、有線伝送路より受信したデジタル通信信号を信号変換部１０２３に出力する。
制御部１０２５は、基地局Ａ１０２の全体の制御を行うとともに、無線端末間の接続制御処理、具体的には、接続確立処理及び着信先の無線端末の代理呼出処理を行う。以下、両処理について説明する。
＜接続確立処理＞
制御部１０２５は、外部端末１０１より発呼要求メッセージを、ＲＦ部１０２１を介して受取ると、当該メッセージに含まれる着信先無線端末（ここでは、マルチ端末１０９）の識別情報（例えば、電話番号）を取得し、共通データベース１０２６に記録されている、当該識別子によって特定されるマルチ端末１０９の通信方式優先度リストを参照し、優先順位の最も高い待受け通信方式を選択し、当該通信方式に従ってマルチ端末１０９を呼出すための制御情報（以下、「呼出制御情報」という。）を作成し、作成した呼出制御情報を、基地局間通信部１０２７を介して選択した通信方式の基地局に送信するとともに、基地局制御装置Ａ１０５及び移動体通信網１０８を介して、マルチ端末１０９に送信する。
【００２５】
ここで、「発呼要求メッセージ」とは、他の無線端末との通信接続を要求するために、要求元の無線端末から特定の通信方式で基地局に送信される、発信元の無線端末と着信先の無線端末を特定するための識別情報とを含むメッセージのことをいう。
又、「呼出制御情報」とは、発呼要求メッセージを受信した基地局によって作成される、着信先の無線端末の識別情報（例えば、電話番号）と当該基地局の通信方式を特定する通信方式特定情報とを含む制御情報のことをいう。
【００２６】
ここで、通信方式特定情報は、例えば、電話番号に含めることとしてもよい。制御部１０２５は、呼出制御情報の送信先の基地局から、基地局間通信部１０２７を介して、マルチ端末１０９との接続が確立したことを示す接続応答メッセージ（以下、「接続確立メッセージ」という。）を受信すると、接続確立処理を終了する。
【００２７】
一方、呼出制御情報の送信先の基地局から、基地局間通信部１０２７を介して、マルチ端末１０９との接続が確立できないことを示す接続応答メッセージ（以下、「接続未確立メッセージ」という。）を受信すると、共通データベース１０２６に記録されている、マルチ端末１０９の通信方式優先度リストを参照し、先に選択した待受け通信方式を除いた待受け通信方式の中から優先順位が最も高い待受け通信方式を選択し、当該通信方式に従って、呼出制御情報を作成し、作成した呼出制御情報を、基地局間通信部１０２７を介して選択した待受け通信方式と一致する通信方式の基地局に送信する処理を行う。
【００２８】
制御部１０２５は、マルチ端末１０９との接続が確立できない場合には、マルチ端末１０９の通信方式優先度リストに示されている全ての待受け通信方式について選択が完了するまで、上記処理を繰り返す。
＜代理呼出処理＞
制御部１０２５は、通信方式の異なる他の基地局（ここでは、基地局Ｂ１０６又は基地局Ｃ１０７）から呼出制御情報を基地局間通信部１０２７を介して受取ると、当該制御情報に含まれる着信先であるマルチ端末１０９の識別情報に基いて、移動体通信網１０８において、マルチ端末１０９が位置登録されているエリアの基地局を、基地局制御装置Ａ１０５を介して特定し、基地局制御装置Ａ１０５を介して当該基地局からマルチ端末１０９を呼出し、マルチ端末１０９から呼出し応答があると、基地局間通信部１０２７を介して接続確立メッセージを上記他の基地局に送信する。
【００２９】
又、マルチ端末１０９から呼出し応答がない場合には、基地局間通信部１０２７を介して接続未確立メッセージを上記他の基地局に送信する。
基地局制御装置Ａ１０５は、基地局Ａ１０２から呼出制御情報を受取ると、呼出制御情報に含まれるマルチ端末１０９の識別情報に基いて、移動体通信網１０８のＨＬＲ（Ｈｏｍｅ  Ｌｏｃａｔｉｏｎ  Ｒｅｇｉｓｔｅｒ）に当該識別情報と対応付けられて登録されているマルチ端末１０９の位置登録エリアを特定し、特定したエリアの基地局を介して、呼出制御情報をマルチ端末１０９に送信し、マルチ端末１０９を呼出す。
【００３０】
基地局制御装置Ｂ１０６、基地局制御装置Ｃ１０７も基地局Ｂ１０３、基地局Ｃ１０４からそれぞれ、呼出制御情報を受取ると、上記と同様にして、マルチ端末１０９を呼出す。
又、各基地局制御装置は、エリア内の複数の同一通信方式の基地局全体の制御を行う。
【００３１】
移動体通信網１０８は、各エリアの移動交換局（Ｍｏｂｉｌｅ  Ｓｗｉｔｃｈｉｎｇ  Ｃｅｎｔｅｒ）、ＨＬＲ、関門移動交換局（Ｇａｔｅｗａｙ  Ｍｏｂｉｌｅ  Ｓｗｉｔｃｈｉｎｇ  Ｃｅｎｔｅｒ）、各エリアの基地局制御装置及び基地局から構成される通信網である。
ここで、移動交換局は、各エリアの基地局制御装置と接続し、無線端末の移動を追跡して、交換サービスを行う。
【００３２】
ＨＬＲは、無線端末の加入者情報を保持し、各無線端末が存在する位置登録エリアを当該無線端末の識別情報と対応付けて登録している。
関門移動交換局は、各移動交換局と接続し、公衆回線やインターネットなどの他のネットワークとの相互接続を行う。
図３は、マルチ端末１０９の構成を示す機能ブロック図である。
【００３３】
マルチ端末１０９は、第１アンテナ１０９１、第１ＲＦ部１０９２、第２アンテナ１０９３、第２ＲＦ部１０９４、第３アンテナ１０９５、第３ＲＦ部１０９６、ベースバンド処理部１０９７、制御部１０９８、スピーカ１０９９、マイク１１００、ＲＦ電源スイッチ切替部１１０１から構成される。
第１ＲＦ部１０９２、第２ＲＦ部１０９４、第３ＲＦ部１０９６は、それぞれ、第１アンテナ１０９１、第２アンテナ１０９２、第３アンテナ１０９３を介して、通信方式Ａ、Ｂ、Ｃのそれぞれの方式に従って、通信電波をエリア内の該当する基地局との間で送受信し、受信した通信電波の周波数を段階的に低減することにより、ベースバンド信号に変換して制御部１０９８及びベースバンド処理部１０９７に出力し、又、ベースバンド処理部１０９７より入力されたベースバンド信号を送信電波に変換して、第１アンテナ１０９１、第２アンテナ１０９３、第３アンテナ１０９４を介して、エリア内のそれぞれ該当する基地局に送信する。
【００３４】
ベースバンド処理部１０９７は、各ＲＦ部のうち、電源がオン状態のＲＦ部から入力されたベースバンド信号を音声信号に変換してスピーカー１０９９に出力し、又、マイク１１００から入力される音声信号をベースバンド信号に変換処理して、電源がオン状態のＲＦ部に出力する。
制御部１０９８は、マルチ端末１０９の全体の制御を行い、構成要素である電源制御部２０９８を介して各ＲＦ部の電源切替処理を行う。
【００３５】
以下、電源制御部２０９８の行う電源切替処理について説明する。
＜電源切替処理＞
電源制御部２０９８は、各ＲＦ部の何れか１つのみの電源がオン状態になるように各ＲＦ部の電源スイッチを切替える処理を行う。
電源制御部２０９８は、各ＲＦ部のオン、オフ状態を示す第１、第２、及び第３フラグを保持しており、各フラグの値に基づいて、現在動作中の待受け通信方式がどの通信方式であるかを判定する。
【００３６】
ここでは、説明の便宜上、初期状態において、マルチ端末１０９における第１ＲＦ部１０９２の電源がオン状態、他のＲＦ部の電源がオフ状態に設定されているものとし、オン状態を示すフラグの値を「１」、オフ状態を示すフラグの値を「０」とする。従って、初期状態においては、第１フラグの値が「１」、第２及び第３フラグの値は、「０」を示し、電源制御部２０９８は、「通信方式Ａが現在動作中の待受け通信方式である」と判定する。
【００３７】
電源制御部２０９８は、第１ＲＦ部１０９２より、呼出制御情報を含むベースバンド信号の入力があると、当該ベースバンド信号から通信方式特定情報を抽出し、当該特定情報の示す通信方式を特定し、特定した通信方式と、マルチ端末１０９の待受け通信方式が一致するように各ＲＦ部の電源スイッチのオン・オフを切替える。
【００３８】
具体的には、保持している各フラグの値に基づいて、現在動作中の通信方式が「通信方式Ａ」であると特定し、当該通信方式と通信方式特定情報の示す通信方式が一致するか否かを判定し、一致する場合には、ＲＦ部の電源切替処理をせず、一致しない場合には、通信方式特定情報の示す通信方式に対応するフラグの値を「１」に設定し、他のフラグの値を「０」に設定し、電源スイッチ部１１０１に対応するＲＦ部の電源のオン、オフの切替えを指示する。例えば、特定した通信方式が通信方式Ｃである場合には、第３フラグの値を「１」にセットし、第１フラグの値を「０」に設定し、電源スイッチ部１１０１に第３ＲＦ部１０９６の電源をオンにし、第１ＲＦ部１０９２の電源をオフにするように指示する。
【００３９】
ＲＦ電源スイッチ切替部１１０１は、電源制御部２０９８からの指示に応じて、各ＲＦ部の電源のオン、オフの切替えを行う。
＜動作＞
次に、無線基地局サブシステム２００の行う無線端末間の接続制御処理の動作について説明する。
【００４０】
図５は、上記処理の動作を示すフローチャートである。以下、図５を参照して、上記動作について説明する。
なお、ここでは、説明の便宜上、外部端末１０１から、基地局Ａ１０２にマルチ端末１０９への発呼要求メッセージがあった場合についてのみ説明するが、他の基地局（基地局Ｂ１０３又は基地局Ｃ１０４）についても動作は同様である。
【００４１】
基地局Ａ１０２は、外部の無線端末１０１より、マルチ端末１０９への発呼要求メッセージを受け取ると（ステップＳ５０１）、当該メッセージに含まれるマルチ端末１０９の識別情報を取得し（ステップＳ５０２）、共通データベース１０２６に記録されている、マルチ端末１０９の通信方式優先度リストを参照し、未選択の待受け通信方式の中で、最も優先順位の高い待受け通信方式を選択し（ステップＳ５０３）、呼出制御情報を作成し（ステップＳ５０４）、選択した待受け通信方式が自己の通信方式と同一である（ここでは、通信方式Ａである）か否かを判定する（ステップＳ５０５）。
【００４２】
同一でない場合（ステップＳ５０５：Ｎ）、さらに、作成した呼出制御情報を、基地局間通信部１０２７を介して選択した待受け通信方式と一致する通信方式の基地局に送信する（ステップＳ５０６）とともに、基地局制御装置Ａ１０５及び移動体通信網１０８を介して、マルチ端末１０９に送信することにより、マルチ端末１０９の呼出しを試みる。
【００４３】
選択された基地局は、受信した呼出制御情報をマルチ端末１０９に送信することにより、選択された待受け通信方式によるマルチ端末１０９の呼出しを試み（ステップＳ５０７）、マルチ端末１０９から所定の時間内に呼出し応答があるか否かを判定し（ステップＳ５０８）、応答があった場合（ステップＳ５０８：Ｙ）、接続確立メッセージを基地局間通信部１０２７を介して基地局Ａ１０２に送信し（ステップＳ５０９）、応答がなかった場合（ステップＳ５０８：Ｎ）、接続不確立メッセージを基地局間通信部１０２７を介して基地局Ａ１０２に送信し（ステップＳ５１０）する。
【００４４】
接続不確立メッセージを受信した基地局Ａ１０２は、マルチ端末１０９の通信方式優先度リストにおいて、未選択の待受け通信方式があるか否かを判定し（ステップＳ５１１）、ある場合（ステップＳ５１１：Ｙ）は、ステップＳ５０３の処理に戻り、ない場合（ステップＳ５１１：Ｎ）、接続制御処理を終了する。
ステップＳ５０５において、同一である場合（ステップＳ５０５：Ｙ）、基地局Ａ１０２は、基地局制御装置Ａ１０５及び移動体通信網１０８を介して、マルチ端末１０９に送信することにより、マルチ端末１０９の呼出しを試みる（ステップＳ５１２）。
【００４５】
次に、電源制御部２０９８の行う電源切替処理の動作について説明する。図６は、上記動作を示すフローチャートである。以下、図６を参照して、上記動作について説明する。
電源制御部２０９８は、初期状態において、マルチ端末１０９における第１ＲＦ部１０９２の電源をオン状態、他のＲＦ部の電源をオフ状態に設定し、第１ＲＦ部１０９２より、呼出制御情報を含むベースバンド信号の入力があると（ステップＳ６０１）、当該ベースバンド信号から通信方式特定情報を抽出し（ステップＳ６０２）、当該特定情報の示す通信方式を特定し（ステップＳ６０３）、保持している各フラグの値に基づいて、現在動作中の通信方式を特定し（ステップＳ６０４）、当該通信方式と通信方式特定情報の示す通信方式が一致するか否かを判定する（ステップＳ６０５）。
【００４６】
一致する場合には（ステップＳ６０５：Ｙ）、ＲＦ部の電源切替処理をせず、一致しない場合には（ステップＳ６０５：Ｎ）、通信方式特定情報の示す通信方式に対応するフラグの値を「１」に設定し、他のフラグの値を「０」に設定し（ステップＳ６０６）、電源スイッチ部１１０１に、通信方式特定情報の示す通信方式に対応するＲＦ部の電源をオンとし、他のＲＦ部の電源をオフに切替えるように指示する（ステップＳ６０７）。
＜補足＞
以上、本発明の実施の形態について説明したが、本発明はこの実施の形態に限定されないのは言うまでもない。
【００４７】
（１）例えば、本実施の形態においては、基地局間の制御情報の通信は、有線の通信回線を介して行うとしたが、各基地局間の制御情報の通信を無線の通信回線で行うこととしてもよい。
（２）又、本実施の形態において、通信方式優先度リストに示されている優先順位は、動的に変化するものとしてもよい。具体的には、ユーザー指示に応じてマルチ端末１０９から、待受け通信方式の優先順位を、各基地局に通知し、或いは、１つの基地局に当該優先順位を通知し、その基地局を介して他の基地局に通知することにより、各基地局の共通データベース１０２６に記録されている通信方式優先度リストの内容を随時、更新することとしてもよい。
【００４８】
これにより、ユーザー側の都合により、頻繁に待受け通信方式が切替えられても、最新の待受け通信方式の優先順位がユーザーから通知されるので、当該ユーザーのマルチ端末との接続要求を受付けた基地局は、何度も通信方式の選択を繰り返すことなく、当該マルチ端末との接続を確立することができる。
（３）又、本実施の形態において、待受け通信方式の選択は、無線端末及び優先順位に依存することなく行うこととしてもよい。例えば、無線端末にかかわらず一律に予め定めた特定の順序（通信方式Ａ、通信方式Ｂ、通信方式Ｃの順）で行うこととしてもよいし、順次或いは周期的に、選択順序を入替えることとしてもよい。例えば、１回目の選択を通信方式Ａ、通信方式Ｂ、通信方式Ｃの順で行った場合には、２回目は、通信方式Ｂ、通信方式Ｃ、通信方式Ａの順、３回目は、通信方式Ｃ、通信方式Ａ、通信方式Ｂの順、以降、１回目、２回目、３回目の選択順を周期的に繰り返すこととしてもよい。
【００４９】
（４）又、本実施の形態においては、通信方式優先度リストは、各基地局の共通データベース１０２６に記録することとしたが、各基地局の共通データベースに記録する代わりに、ＨＬＲに各マルチ端末の識別情報、位置登録エリアと対応付けて登録することとし、各基地局は、ＨＬＲを介して接続先の各マルチ端末の通信方式優先度リストを参照することとしてもよい。
【００５０】
（５）又、本実施の形態の無線通信システム１００は、外部の固定電話からの電話回線を介したマルチ端末１０９への接続の場合においても適用できる。
具体的には、マルチ端末１０９の位置登録エリアに無線通信システム１００の構成要素である基地局群を設け、当該基地局群が固定電話から送信された発呼要求メッセージを移動体通信網１０８を介して受取り、外部端末１０１の場合と同様に接続確立処理及び代理呼出処理を行うことによりマルチ端末１０９と接続することができる。
【００５１】
（６）又、本実施の形態の無線通信システム１００において、通信回線で接続される、通信方式の異なる基地局数は、３つに限らず２つであってもよいし、４つ以上であってもよい。又、マルチ端末１０９のＲＦ部の種類も３種類に限らず２種類であってもよいし、４種類以上であってもよい。
【００５２】
【発明の効果】
（１）本発明は、本発明は、切替可能な複数の通信方式により、無線基地局サブシステムと通信可能であり、前記複数の通信方式のうちの特定の１つである特定通信方式により、前記無線基地局サブシステムからの呼出の待受け状態にある無線端末と、前記無線基地局サブシステムとから構成される無線通信システムであって、前記無線基地局サブシステムは、前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信手段と、前記複数の通信方式の中から前記特定通信方式を選択する通信方式選択手段と選択した前記特定通信方式により、前記無線端末に接続し、前記通信方式特定情報を前記無線端末に送信する送信手段とを有し、前記無線端末は、前記通信方式特定情報を、前記特定通信方式により受信する受信手段と、受信した前記通信方式特定情報に基づいて、前記無線基地局群との通信方式を、前記特定通信方式から当該特定情報によって特定される通信方式に切替える切替制御手段とを有することを特徴とする。
【００５３】
（２）（１）において、前記通信方式選択手段は、前記複数の通信方式の中から、予め定められた順番で通信方式を選択する選択処理を行い、前記送信手段は、前記無線端末に接続できたか否かを判定する接続判定手段を有し、前記送信手段は、前記通信方式が選択される毎に、当該通信方式に従って、前記無線端末との接続を試み、前記通信方式選択手段は、前記無線端末への接続ができた場合に、前記通信方式特定情報を送信し、接続ができなかった場合に、前記通信方式選択手段は、選択した前記通信方式を除く前記複数の通信方式について、前記選択処理を繰返すこととしてもよい。
【００５４】
（３）又、本発明は、複数の通信方式による無線端末の呼出しが可能な無線基地局サブシステムであって、通信端末から、前記複数の通信方式のうちの何れか１つの通信方式による、切替可能な前記複数の通信方式のうちの特定の１つである特定通信方式により前記無線基地局サブシステムからの呼出の待受け状態にある無線端末の呼出要求を、当該通信方式を特定する通信方式特定情報とともに受信する呼出要求受信手段と、前記複数の通信方式の中から前記特定通信方式を選択する通信方式選択手段と、選択した通信方式により、前記無線端末に接続し、前記通信方式特定情報を送信する送信手段とを備えることとしてもよい。
【００５５】
（４）（３）において、前記通信方式選択手段は、前記複数の通信方式の中から、予め定められた順番で通信方式を選択する選択処理を行い、前記送信手段は、前記無線端末に接続できたか否かを判定する接続判定手段を有し、前記送信手段は、前記通信方式が選択される毎に、当該通信方式に従って、前記無線端末との接続を試み、前記通信方式選択手段は、前記無線端末への接続ができた場合に、前記通信方式特定情報を送信し、接続ができなかった場合に、前記通信方式選択手段は、選択した前記通信方式を除く前記各通信方式について、前記選択処理を繰返すこととしてもよい。
【００５６】
（５）又、本発明は、切替可能な複数の通信方式により、無線基地局サブシステムと通信可能であり、前記複数の通信方式のうちの特定の１つである特定通信方式により、前記無線基地局サブシステムからの呼出の待受け状態にある無線端末であって、当該無線基地局サブシステムから、前記複数の通信方式のうちの何れか１つの通信方式による、外部端末からの呼出要求に基づく呼出しがあった時に、当該無線基地局サブシステムから、当該呼出要求がされた通信方式を特定する通信方式特定情報を受信する受信手段と、受信した前記通信方式特定情報に基づいて、前記無線基地局群との通信方式を、前記特定通信方式から当該特定情報によって特定される通信方式に切替える切替制御手段とを備えることとしてもよい。
【００５７】
（６）又、本発明は、切替可能な複数の通信方式により、無線基地局サブシステムと通信可能であり、前記複数の通信方式のうちの特定の１つである特定通信方式により、前記無線基地局サブシステムからの呼出の待受け状態にある無線端末と、前記無線基地局サブシステムとから構成される無線通信システムに用いられる接続制御ステップと通信方式切替ステップとから構成される無線通信方法であって、前記接続制御ステップは、前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信ステップと、前記複数の通信方式の中から前記特定通信方式を選択する通信方式選択ステップと選択した前記特定通信方式により、前記無線端末に接続し、前記通信方式特定情報を前記無線端末に送信する送信ステップとを含み、前記通信方式切替ステップは、前記通信方式特定情報を、前記特定通信方式により受信する受信ステップと、受信した前記通信方式特定情報に基づいて、前記無線基地局群との通信方式を、前記特定通信方式から当該特定情報によって特定される通信方式に切替える切替制御ステップとを含むこととしてもよい。
【００５８】
（７）又、本発明は、切替可能な複数の通信方式で無線基地局群と通信可能であり、前記各通信方式のうちの１つである特定通信方式で前記無線基地局群から呼出され得る状態にある無線端末と、前記無線基地局群とから構成される無線通信システムに用いられる接続制御プログラムと通信方式切替プログラムとから構成される無線通信プログラムであって、前記接続制御プログラムは、前記無線端末と異なる外部端末から、前記複数の通信方式のうちの何れか１つの通信方式による前記無線端末の呼出要求を、当該呼出要求がされた通信方式を特定する通信方式特定情報とともに受信する呼出要求受信ステップと、前記複数の通信方式の中から前記特定通信方式を選択する通信方式選択ステップと選択した前記特定通信方式により、前記無線端末に接続し、前記通信方式特定情報を前記無線端末に送信する送信ステップとを含み、前記通信方式切替プログラムは、前記通信方式特定情報を、前記特定通信方式により受信する受信ステップと、受信した前記通信方式特定情報に基づいて、前記無線基地局群との通信方式を、前記特定通信方式から当該特定情報によって特定される通信方式に切替える切替制御ステップとを含むこととしてもよい。
【００５９】
これにより、ユーザーは、複数の通信方式を備える自己の無線端末において他の無線端末からの呼出しを待ち受ける場合に、複数の通信方式を同時に動作させておかなくても、他の無線端末から呼出しがあった時に、無線基地局群によって自動的にユーザーの動作させている通信方式を選択し、当該通信方式で呼出元の無線端末と接続するための通信方式を知らせてくれるので、ユーザーはいずれか１つの通信方式を、呼出しを待ち受けるために動作させておくだけで、動作していない他の通信方式による呼出しがあった場合にも容易に呼出元の無線端末と接続することができる。
【００６０】
（８）（１）において、前記通信方式選択手段は、前記無線端末における前記複数の通信方式の優先順位を記憶している選択方式記憶手段を有し、前記選択方式選択手段は、前記優先順位の高い順に通信方式を選択する選択処理を行い、前記送信手段は、前記無線端末に接続できたか否かを判定する接続判定手段を有し、前記送信手段は、前記通信方式が選択される毎に、当該通信方式により、前記無線端末との接続を試み、前記通信方式選択手段は、前記無線端末との接続ができた場合に、前記通信方式特定情報を送信し、接続ができなかった場合に、前記通信方式選択手段は、選択した前記通信方式を除く前記複数の通信方式について、前記選択処理を繰返すこととしてもよい。
【００６１】
（９）（３）において、前記選択通信方式選択手段は、前記無線端末における前記複数の通信方式の優先順位を記憶している通信方式記憶手段を有し、前記通信方式選択手段は、前記優先順位の高い順に通信方式を選択する選択処理を行い、前記送信手段は、前記無線端末に接続できたか否かを判定する接続判定手段を有し、前記送信手段は、前記通信方式が選択される毎に、当該通信方式により、前記無線端末との接続を試み、前記通信方式選択手段は、前記無線端末との接続ができた場合に、前記通信方式特定情報を送信し、接続ができなかった場合に、前記通信方式選択手段は、選択した前記通信方式を除く前記複数の通信方式について、前記選択処理を繰返すこととしてもよい。
【００６２】
これにより、他の無線端末からの呼出しを待ち受けるユーザーの無線端末側で動作されている可能性が高い通信方式を優先的に無線基地局群において選択することができるので、選択処理を繰り返す回数を少なくすることができ、効率よくユーザーの無線端末と接続することができる。
（１０）（８）において、前記無線基地局サブシステムはさらに、前記無線端末から前記複数の通信方式の優先順位の通知を受け取る受取手段と、前記選択通信方式記憶手段に記憶されている前記複数の通信方式の優先順位を、受け取った優先順位に更新する更新手段とを有することとしてもよい。
【００６３】
（１１）（９）において、前記無線基地局サブシステムはさらに、
前記無線端末から前記複数の通信方式の優先順位の通知を受け取る受取手段と、前記選択通信方式記憶手段に記憶されている前記複数の通信方式の優先順位を、受け取った優先順位に更新する更新手段とを備えることとしてもよい。
これにより、ユーザー側の都合により、いつもと異なる通信方式がユーザー側の無線端末において動作されている場合においても、通信方式の優先順位の変更を無線基地局群に通知することができ、無線基地局群は通知された新たな優先順位に基づいて、通信方式を選択することができるので、ユーザーは、接続に支障をきたすことなく、臨機応変に他の無線端末からの呼出しを待ち受けるための通信方式を切替えることができる。
【００６４】
（１２）（１）において、前記受信手段は、前記無線基地局サブシステムからの送信を、前記複数の通信方式に従って受信する、各通信方式に対応する受信部を有し、前記各受信部は、電源によってオン、オフが切替えられ、前記切替制御手段は、前記各受信部の何れか１つの受信部の電源がオンとなるように各受信部の電源のオン、オフを制御し、前記受信手段は、前記切替制御手段によって電源オンに制御された、前記特定通信方式に対応する受信部を介して、前記通信方式特定情報を受信し、前記切替制御手段は、前記特定通信方式に対応する受信部の電源をオフに、受信した通信方式特定情報によって特定される通信方式に対応する受信部の電源をオンに制御することにより、前記無線基地局群との通信方式を、前記特定通信方式から当該通信方式特定情報によって特定される通信方式に切替えることとしてもよい。
【００６５】
（１３）（５）において、前記受信手段は、前記無線基地局サブシステムからの送信を、前記複数の通信方式に従って受信する、各通信方式に対応する受信部を有し、前記各受信部は、電源によってオン、オフが切替えられ、前記切替制御手段は、前記各受信部の何れか１つの受信部の電源がオンとなるように各受信部の電源のオン、オフを制御し、前記受信手段は、前記切替制御手段によって電源オンに制御された、前記特定通信方式に対応する受信部を介して、前記通信方式特定情報を受信し、前記切替制御手段は、前記特定通信方式に対応する受信部の電源をオフに、受信した通信方式特定情報によって特定される通信方式に対応する受信部の電源をオンに制御することにより、前記無線基地局群との通信方式を、前記特定通信方式から当該通信方式特定情報によって特定される通信方式に切替えることとしてもよい。
【００６６】
これにより、ユーザーは複数の受信部を動作させるのに要する電力消費を低減することができる。
【図面の簡単な説明】
【図１】本発明の実施の形態における無線通信システム１００の構成を示す。
【図２】基地局Ａ１０２の基本構成を示す機能ブロック図である。
【図３】マルチ端末１０９の構成を示す機能ブロック図である。
【図４】通信方式優先度リストの具体例を示す。
【図５】無線基地局サブシステム２００の行う、無線端末間の接続制御処理の動作を示すフローチャートである。
【図６】制御部２０９８の行う電源切替処理の動作を示すフローチャートである。
【符号の説明】
１００    無線通信システム
１０１    外部端末
１０２    基地局Ａ
１０３    基地局Ｂ
１０４    基地局Ｃ
１０５    基地局制御装置Ａ
１０６    基地局制御装置Ｂ
１０７    基地局制御装置Ｃ
１０８    移動体通信網
１０９    マルチ端末
２００    無線基地局サブシステム
１０２０  アンテナ
１０２１  ＲＦ部
１０２２  変復調部
１０２３  信号変換部
１０２４  インタフェース部
１０２５  制御部
１０２６  共通データベース
１０９１  第１アンテナ
１０９２  第１ＲＦ部
１０９３  第２アンテナ
１０９４  第２ＲＦ部
１０９５  第３アンテナ
１０９６  第３ＲＦ部
１０９７  ベースバンド処理部
１０９８  制御部
１０９９  スピーカ
１１００  マイク
２０９８  電源制御部
【図１】
2004282267.tif 000003
【図２】
2004282267.tif 000004
【図３】
2004282267.tif 000005
【図４】
2004282267.tif 000006
【図５】
2004282267.tif 000007
【図６】
2004282267.tif 000008